(57)【特許請求の範囲】
【請求項１】
順次走査しかつ２４Ｈｚのフレーム周波数を持つ第１の映像信号、もしくは飛び越し走査しかつ３０Ｈｚのフレーム周波数を持つ第２の映像信号のいずれかからなる情報信号を再生する映像信号再生装置であって、
前記情報信号を毎秒６０フィールドの飛び越し走査映像信号として出力する飛び越し走査映像信号再生手段と、前記飛び越し走査映像信号再生手段の出力を外部へ出力する飛び越し走査映像出力端子と、前記飛び越し走査映像信号再生手段の出力を順次走査映像信号に変換する順次走査変換手段と、前記順次走査変換手段の出力の高域周波数特性を、前記情報信号が前記第１の映像信号の場合には、前記情報信号が前記第２の映像信号の場合に比べて強調させるフィルタ手段と、前記フィルタ手段の出力を外部へ出力する順次走査出力端子とを備えた事を特徴とする映像信号再生装置。
【請求項２】
飛び越し走査映像信号再生手段の出力を順次走査変換手段に入力する事を特徴とする請求項１記載の映像信号再生装置。
【請求項３】
フィルタ手段は、使用者の設定により周波数特性を変える事ができる事を特徴とする請求項１〜２の何れかに記載の映像信号再生装置。
【発明の詳細な説明】
【０００１】
【発明の属する技術分野】
本発明は、光ディスクに記録された情報信号や衛星放送など、映画素材やビデオ素材等様々な映像情報を転送して映像信号を、順次走査再生する為の映像信号再生装置に関する。
【０００２】
【従来の技術】
従来、ディジタルバーサタイルディスク（以下ＤＶＤと称す）、ＣＤと称される再生専用ディスク、光学的及び磁気的な手段で記録する光磁気ディスク（以下これらを総称して光ディスクと称す）、衛星放送、地上波放送等の映像出力は、テレビ受像器で再生出来るよう飛び越し走査で出力されるのが普通であるが、近年、マルチスキャン対応のモニタやプロジェクタ、またはコンピュータ用モニタ等の普及に伴って、これらの飛び越し走査映像信号を順次走査映像信号に変換する映像信号再生装置が導入されつつある。
【０００３】
図１２は、従来例の映像信号再生装置の構成を示すブロック図である。同図において、１はディスクで、フィルム素材映像を電気的信号に変換した映像信号もしくはビデオ信号を素材とする映像信号のいずれかからなる映像信号が、予め記録に適した信号形態に符号化され、変調されて記録されている。２はピックアップで、ディスク１に記録された信号を電気的信号に変換する。３はディスク回転装置で、ディスク１を再生に適した回転数で回転させる。４は飛び越し走査映像信号再生回路で、ディスク１に記録された映像信号を復調し、復号し、飛び越し走査映像信号として出力する。５はＮＴＳＣエンコーダで、飛び越し走査映像信号をＮＴＳＣビデオフォーマットに変換し出力する。６は飛び越し走査映像出力端子で、これより再生された飛び越し走査映像信号が出力される。７は順次走査映像信号変換回路で、飛び越し走査映像信号再生回路４の出力を順次走査映像信号に変換し出力する。８は第１のメモリーで、１フィールド分の映像信号を記憶できる能力を持ち、順次走査映像信号変換回路７の動作に用いられる。９は色差コンバータで、順次走査映像信号変換回路７の出力を順次走査色差信号に変換し出力する。１０は順次走査映像出力端子で、これより図示されない映像表示装置に順次走査映像信号が出力される。
【０００４】
以上の様に構成された従来の映像信号再生装置について、さらにその動作を図１３〜図１７を参照して説明する。
【０００５】
図１３は、従来例の映像信号再生装置の飛び越し走査映像信号と順次走査映像信号の構造を示す模式図である。飛び越し走査映像信号では、１／６０秒で１フィールドの画像が構成され、それが２枚合わされて１フレームの画像となる。２枚のフィールドの縦画素数はそれぞれ２４０であり、互いの画素はそれぞれの画素の縦方向の間を埋めあう様な配置になる。順次走査信号では１フレームが１／６０秒で縦画素数は４８０である。このように、垂直周波数は共に１／６０秒であり、水平走査線数は飛び越し走査映像信号に比べ順次走査映像信号は倍になるので、水平走査周波数は飛び越し走査映像信号が約１５．７５ＫＨｚであるのに対して、順次走査映像信号では約３１．５ＫＨｚになる。
【０００６】
図１４は、従来例の映像信号再生装置の映像信号の構造を示す模式図である。図１４に示す様に、ディスク１に記録される映像情報には２つの形態がある。即ち、図１４に示すa)はフィルム素材であり、この場合には、元となる素材は毎秒２４コマの絵で構成されるフィルム画像であり、各コマ毎に横７２０ドット、縦４８０ドットの画像として圧縮されディスク１に記録されている。一方図１４に示すｂ）はビデオ素材画像であり、この場合には元となる素材は毎秒３０フレーム／６０フィールドの飛び越し走査画像であり、各フレームは横７２０ドット、縦４８０ドットの画像であるが、飛び越し走査されるので、各フィールドでは横７２０ドット縦２４０ドットの画像になり、圧縮されディスク１に記録されている。
【０００７】
ディスク１に記録された映像信号の素材がフィルムの場合には、記録情報として毎秒２４コマの横７２０ドット、縦４８０ドットの画像が記録されている。飛び越し走査映像信号再生回路４は、ピックアップ２の出力よりディスク１に記録されている信号を読み取る。図１４のａ−１）に示す様に、フィルム素材のディスクでは、コマ番号が・・・・、ｎ、ｎ＋１、ｎ＋２、ｎ＋３、・・・・の順で記録されている。
【０００８】
このように記録されたフィルム素材信号を、飛び越し走査映像信号再生回路４は復調し、飛び越し走査映像に変換して出力する。これは、一般に家庭で鑑賞するための画像表示装置としてテレビジョンモニターが、最も多く使われており、その表示形式が飛び越し走査であるからであり、またテレビジョンモニターは毎秒３０フレーム／６０フィールドの動画を扱う様に設計されているために、飛び越し走査映像信号再生回路４は毎秒２４コマの映像を毎秒３０フレーム／６０フィールドの飛び越し走査映像に変換して出力する。
【０００９】
即ち、飛び越し走査映像信号再生回路４は、図１４のａ−２）飛び越し走査映像出力に示す様に、記録情報の各コマをｏｄｄとｅｖｅｎとの２つの飛び越し走査フィールド画像に分け、更に、隔コマ毎に先頭のフィールドを最後のフィールドの後に繰り返して表示する事により、毎秒２４コマのフィルム映像を毎秒３０フレーム／６０フィールドの飛び越し走査画像に変換して出力する。この様にして再生された飛び越し走査映像信号を、ＮＴＳＣエンコーダ５がＮＴＳＣ標準ビデオ信号にして、飛び越し走査映像出力端子６に出力する。飛び越し走査映像出力端子６にはテレビモニター（図示せず）が接続され、使用者はそれにより飛び越し走査映像に変換されたフィルム素材映像を鑑賞する事ができる。
【００１０】
更に、飛び越し走査映像信号再生回路４は、飛び越し走査映像信号を順次走査映像信号変換回路７に入力する。順次走査映像信号変換回路７は、図１４のａ−２）に示す飛び越し走査映像出力を、各コマ毎に先頭フィールドを第１のメモリー７に格納した後、第２フィールドを第１のメモリー７に格納し、両者の情報を１ライン毎に倍速で読み出す事により、図１４のａ−３）に示す順次走査映像出力を得る。変換された映像信号は、色差コンバータ９でアナログの順次走査色差信号に変換され、順次走査映像信号出力端子１０から出力される。順次走査映像信号出力端子１０には順次走査映像信号用テレビモニターが（図示せず）が接続され、使用者はそれにより順次走査映像に変換されたフィルム素材映像を鑑賞する事ができる。
【００１１】
一方、ディスク１に記録された映像信号の素材がビデオの場合には、記録情報として毎秒３０フレーム／６０フィールドの飛び越し走査画像で、各フィールドは横７２０ドット、縦２４０ドットの画像が記録されている。飛び越し走査映像信号再生回路４は、ピックアップ２の出力よりディスク１に記録されている信号を読み取り、復調し、図１４のｂ−２）の飛び越し走査映像出力に示す様にそのまま飛び越し走査映像信号として出力する。
【００１２】
この様にして再生された飛び越し走査映像信号を、ＮＴＳＣエンコーダ５がＮＴＳＣ標準ビデオ信号にして、飛び越し走査映像出力端子６に出力する。飛び越し走査映像出力端子６にはテレビモニター（図示せず）が接続され、使用者はそれにより飛び越し走査映像に再生されたビデオ素材映像を鑑賞する事ができる。
【００１３】
更に、飛び越し走査映像信号再生回路４は、飛び越し走査映像信号を順次走査映像信号変換回路７に入力する。順次走査映像信号変換回路７は、ビデオ素材の場合には、フィールド映像情報とその前に位置するフィールドの２つのフィールド情報とを用いて順次走査映像信号を生成する。この時、順次走査映像信号変換回路７は図１４のｂ−２）の飛び越し走査映像出力と、１つ前のフィールドの飛び越し走査映像出力との間での動きが小さい画素に関しては前のフィールドのデータも用いて縦補間し、１つ前のフィールドとの間での動きが大きい画素に関しては同一フィールド内の上下の画素データにより縦補間データを生成する事により、図１４のｂ−３）に示す順次走査映像出力を得る。変換された映像信号は、色差コンバータ９でアナログの順次走査色差信号に変換され、順次走査映像信号出力端子１０から出力される。順次走査映像信号出力端子１０には順次走査映像信号用テレビモニター（図示せず）が接続され、使用者はそれにより順次走査映像に変換されたビデオ素材映像を鑑賞する事ができる。
【００１４】
図１５は、従来例の映像信号再生装置の素材の垂直周波数特性を示す模式図である。ビデオ素材では素材が飛び越し走査されているので、１フィールド辺り２４０ラインであり、２フィールドで４８０ラインとなる。フィルム素材では、元々のフィルム上の光学情報を４８０本の順次走査信号の電気情報に変換されるので、垂直周波数特性は図１５のフィルム素材の特性に示す様に高帯域のものであるが、飛び越し走査の受像器で再生を前提として、折り返し妨害が出ないようにするため予め帯域制限を施し、図１５のインタレース妨害除去後のフィルム素材の特性に示すように、ビデオ素材の特性と同じレベルにまで垂直周波数特性を落として記録されている。
【００１５】
図１６は、従来例の映像信号再生装置の順次走査映像出力の垂直周波数特性を示す模式図である。同図に示す様に、順次走査映像信号変換後の垂直周波数特性は、本来のフィルムの素材特性よりは劣化したものとなる。
【００１６】
図１７は、従来例の映像信号再生装置の飛び越し走査映像と、順次走査映像出力との視感上の周波数特性を示す模式図である。一般的に、順次走査映像モニタは、飛び越し走査映像モニタに比べて水平走査周波数が２倍になるため、同一解像度を実現する電気的・光学的周波数帯域も２倍必要になる。また、走査線数が倍になるため、視感的に低解像度な印象を与えるという特性を持っている。従って、飛び越し走査映像信号と、飛び越し走査映像信号を順次走査映像信号変換した後の映像信号とでは、順次走査映像信号変換後の映像信号の方が周波数特性が劣化した印象を使用者に与える。特に、従来例の映像信号再生装置では、飛び越し走査映像と順次走査映像とが同時に出力されるため、両者を容易に比較する事ができるので、その差が大きい事は、映像信号再生装置にとって大きな欠点となるものである。
【００１７】
【発明が解決しようとする課題】
この映像信号再生装置においては、上述した様にフィルム素材の映像信号に対して、順次走査変換後の垂直周波数が本来フィルムが持つ特性より著しく劣化しているという問題点を持っている。また、順次走査変換後の画質が飛び越し走査変換の画質に比べて視感的に低解像度な印象を与えるという問題点もある。
【００１８】
今後は、フィルム素材の映像信号に対して順次走査変換後に、より本来のフィルムに近い解像度を持ち、かつ、視感的にも飛び越し走査映像に比べて解像度の劣化のない順次走査映像の出力ができる映像信号再生装置の導入が要求されている。
【００１９】
本発明は、フィルム素材の映像信号に対して順次走査変換後に、より本来のフィルムに近い解像度を持ち、かつ、視感的にも飛び越し走査映像に比べて解像度の劣化のない順次走査映像の出力ができる映像信号再生装置の提供を目的とする。
【００２０】
【発明を解決するための手段】
この課題を解決するために本発明は、順次走査しかつ２４Ｈｚのフレーム周波数を持つ第１の映像信号、もしくは飛び越し走査しかつ３０Ｈｚのフレーム周波数を持つ第２の映像信号のいずれかからなる情報信号を再生する映像信号再生装置であって、前記情報信号を毎秒６０フィールドの飛び越し走査映像信号として出力する飛び越し走査映像信号再生手段と、飛び越し走査映像信号再生手段出力を出力する飛び越し走査映像出力端子と、前記飛び越し走査映像信号再生手段の出力を順次走査映像信号に変換する順次走査変換手段と、順次走査変換回路手段出力の高域周波数特性を、前記情報信号が第１の映像信号の場合には、前記情報信号が第２の映像信号の場合に比べて強調させるフィルタ手段と、フィルタ手段出力を出力する順次走査出力端子とを備えた映像信号再生装置である。
【００２１】
【発明の実施の形態】
本発明の請求項１に記載の発明は、順次走査し、かつ２４Ｈｚのフレーム周波数を持つ第１の映像信号もしくは飛び越し走査し、かつ３０Ｈｚのフレーム周波数を持つ第２の映像信号のいずれかからなる情報信号を毎秒６０フィールドの飛び越し走査映像信号として出力する飛び越し走査映像信号再生手段と、飛び越し走査映像信号再生手段出力を出力する飛び越し走査映像出力端子と、前記飛び越し走査映像信号再生手段の出力を順次走査映像信号に変換する順次走査変換手段と、順次走査変換回路手段出力の高域周波数特性を、情報信号が第１の映像信号の場合には、情報信号が第２の映像信号の場合に比べて強調させるフィルタ手段と、フィルタ手段出力を出力する順次走査出力端子とを備えた事により、情報信号の映像信号成分がフィルム素材とする第１の映像信号に対して順次走査変換後に、映像信号の高域周波数特性を強調させて、本来のフィルムに近い解像度を持ち、ビデオ素材の映像信号に対しては順次走査変換後に、高域を強調しすぎることがなく、かつ視感的にも飛び越し走査映像に比べて解像度の劣化のない順次走査映像の出力ができる映像信号再生装置を提供する。
【００２２】
本発明の請求項２に記載の発明は、飛び越し走査映像信号再生手段の出力を順次走査変換手段に入力する事により、順次走査変換手段の回路構成が簡略化される。
【００２４】
本発明の請求項３に記載の発明は、フィルタ手段は、使用者の設定により周波数特性を変えることにより、使用者が順次操作映像出力の周波数特性を可変できる事により、フィルム素材の映像信号に対して順次走査変換後に、より本来のフィルムに近い解像度を持ち、ビデオ素材の映像信号に対しては順次走査変換後に、高域を強調しすぎることがなく、かつ、視感的にも飛び越し走査映像に比べて解像度の劣化の無い順次走査の出力ができる映像信号再生装置を提供する。
【００２５】
【実施例】
以下、本発明の一実施例について、第１の映像信号または第２の映像信号の何れか一方を含む情報信号が、円盤状のディスクに収録された信号を再生する場合について図１〜図１１を用いて説明する。
【００２６】
（実施例１）
図１は本発明の一実施例の映像信号再生装置の構成を示すブロック図である。同図において、１はディスクで、フィルム素材を電気的信号に変換した映像信号もしくはビデオ信号を素材とする映像信号のいずれか一方を含む情報信号が、予め記録に適した信号形態に符号化され、変調されて記録されている。２はピックアップで、ディスク１に記録された情報信号を電気的信号に変換する。３はディスク回転装置で、ディスク１を再生に適した回転数で回転させる。４は飛び越し走査映像信号再生回路で、ディスク１に記録された情報信号を復調し、復号し、飛び越し走査映像信号として出力する。５は飛び越し走査映像用モニタ（図示は省略）に対応させるエンコーダ（例えばＮＴＳＣエンコーダ）で、飛び越し走査映像信号をＮＴＳＣビデオフォーマットに変換し出力する。６は飛び越し走査映像出力端子で、これより再生された飛び越し走査映像出力が出力される。
【００２７】
７は順次走査映像信号変換回路で、飛び越し走査映像信号再生回路４の出力を順次走査映像信号に変換し出力する。８は第１のメモリーで、１フィールド分の映像信号を記憶できる容量を持ち、順次走査映像信号変換回路７の動作に用いられる。９は色差コンバータで、順次走査映像信号変換回路７の出力を順次走査色差信号に変換し出力する。１０は順次走査映像出力端子で、これより図示されない映像表示装置に順次走査映像信号が出力される。
【００２８】
１１は空間フィルタで、フィルタ特性設定手段１３及び素材判別回路１４の出力に応じて、順次走査映像信号変換回路７の出力の周波数特性を変化させる。１２は第２のメモリーで、空間フィルタ１１の垂直周波数特性の変化動作に使用される。１３はフィルタ特性設定手段で、使用者がこれを用いて空間フィルタ１１の特性を設定する。１４は素材判別回路で、ピックアップ２の出力より、ディスク１に記録された映像信号の素材がフィルムであるかビデオであるかを判別し、空間フィルタ１１を制御する。
【００２９】
以上の様に構成された本実施例の映像信号再生装置について、さらにその動作を説明する。図２は、本発明の一実施例の映像信号再生装置の飛び越し走査映像信号と順次走査映像信号との構造を示す模式図である。飛び越し走査映像信号では、１／６０秒で１フィールドの画像が構成され、それが２枚合わされて１フレームの画像となる。２枚のフィールドの縦画素数はそれぞれ２４０であり、互いの画素はそれぞれの画素の縦方向の間を埋めあう様な配置になる。順次走査信号では１フレームが１／６０秒で縦画素数は４８０である。このように、垂直周波数は共に１／６０秒であり、水平走査線数は飛び越し走査映像信号に比べ順次走査映像信号は倍になるので、水平走査周波数は飛び越し走査映像信号が約１５．７５ＫＨｚであるのに対して、順次走査映像信号では約３１．５ＫＨｚになる。
【００３０】
図３は、本発明の一実施例の映像信号再生装置の映像信号の構造を示す模式図である。図３に示す様に、ディスク１に記録される情報信号の映像成分の映像情報には２つの形態がある。即ち、図３に示すa)はフィルム素材であり、この場合には元となる素材は毎秒２４コマの絵で構成されるフィルム画像であり、各コマ毎に横７２０ドット、縦４８０ドットの画像として圧縮されディスク１に記録されている。一方図３に示すｂ）はビデオ素材画像であり、この場合には元となる素材は毎秒３０フレーム／６０フィールドの飛び越し走査画像であり、各フレームは横７２０ドット、縦４８０ドットの画像であるが、飛び越し走査されるので、各フィールドでは横７２０ドット縦２４０ドットの画像になり、圧縮されディスク１に記録されている。
【００３１】
ディスク１に記録された情報信号に含まれる映像信号の素材がフィルムの場合には、記録情報として毎秒２４コマの横７２０ドット、縦４８０ドットの画像が記録されている。飛び越し走査映像信号再生回路４は、ピックアップ２の出力よりディスク１に記録されている信号を読み取る。図３のａ−１）に示す様に、フィルム素材のディスクでは、コマ番号が・・・・、ｎ、ｎ＋１、ｎ＋２、ｎ＋３、・・・・の順で記録されている。
【００３２】
このように記録されたフィルム素材信号を、飛び越し走査映像信号再生回路４は復調し、飛び越し走査映像に変換して出力する。これは、一般に家庭で鑑賞するための画像表示装置としてテレビジョンモニターが、最も多く使われており、その表示形式が飛び越し走査であるからであり、またテレビジョンモニターは毎秒３０フレーム／６０フィールドの動画を扱う様に設計されているために、飛び越し走査映像信号再生回路４は毎秒２４コマの映像を毎秒３０フレーム／６０フィールドの飛び越し走査映像に変換して出力する。
【００３３】
即ち、飛び越し走査映像信号再生回路４は、図３のａ−２）飛び越し走査映像出力に示す様に、記録情報の各コマをｏｄｄとｅｖｅｎとの２つの飛び越し走査フィールド画像に分け、更に、隔コマ毎に先頭のフィールドを最後のフィールドの後に繰り返して表示する事により、毎秒２４コマのフィルム映像を毎秒３０フレーム／６０フィールドの飛び越し走査画像に変換して出力する。この様にして再生された飛び越し走査映像信号を、ＮＴＳＣエンコーダ５がＮＴＳＣ標準ビデオ信号にして、飛び越し走査映像出力端子６に出力する。飛び越し走査映像出力端子６にはテレビモニター（図示せず）が接続され、使用者はそれにより飛び越し走査映像に変換されたフィルム素材映像を鑑賞する事ができる。
【００３４】
更に、飛び越し走査映像信号再生回路４の出力の飛び越し走査映像信号を、順次走査映像信号変換回路７に入力する。順次走査映像信号変換回路７は、図３のａ−２）に示す飛び越し走査映像出力を、各コマ毎に先頭フィールドを第１のメモリー８に格納した後、第２フィールドを第１のメモリー８に格納し、両者の情報を１ライン毎に倍速で読み出す事により、図３のａ−３）に示す順次走査映像出力を得る。すなわち、ａ−２）における隔コマ毎に先頭のフィールドの信号と同一の信号を表示する最後のフィールドの信号はａ−３）では変換せず、先頭のフィールドと当該先頭のフィールドに続くフィールドを連続する３つのフィールドに変換する。変換された映像信号は、色差コンバータ９でアナログの順次走査色差信号に変換され、空間フィルタ１１を経由して、順次走査映像信号出力端子１０から出力される。順次走査映像信号出力端子１０には順次走査映像信号用テレビモニターが（図示せず）が接続され、使用者はそれにより順次走査映像に変換されたフィルム素材映像を鑑賞する事ができる。
【００３５】
ディスク１に記録された情報信号に含まれる映像信号の素材がビデオの場合には、記録情報として毎秒３０フレーム／６０フィールドの飛び越し走査画像で、各フィールドは横７２０ドット、縦２４０ドットの画像が記録されている。飛び越し走査映像信号再生回路４は、ピックアップ２の出力よりディスク１に記録されている信号を読み取り、復調し、図３のｂ−２）の飛び越し走査映像出力に示す様にそのまま飛び越し走査映像信号として出力する。
【００３６】
この様にして再生された飛び越し走査映像信号を、ＮＴＳＣエンコーダ５がＮＴＳＣ標準ビデオ信号にして、飛び越し走査映像出力端子６に出力する。飛び越し走査映像出力端子６にはテレビモニター（図示せず）が接続され、使用者はそれにより飛び越し走査映像に再生されたビデオ素材映像を鑑賞する事ができる。
【００３７】
更に、飛び越し走査映像信号再生回路４の出力の飛び越し走査映像信号を、順次走査映像信号変換回路７に入力する。順次走査映像信号変換回路７は、情報信号の映像成分がビデオ素材の場合には、フィールド映像情報とその前に位置するフィールドの２つのフィールド情報とを用いて順次走査映像信号を生成する。この時、順次走査映像信号変換回路７は、図３のｂ−２）の飛び越し走査映像出力と、１つ前のフィールドの飛び越し走査映像出力との間での動きが小さい画素に関して前のフィールドのデータも用いて縦補間し、１つ前のフィールドとの間での動きが大きい画素に関しては同一フィールド内の上下の画素データにより縦補間データを生成する事により、図３のｂ−３）に示す順次走査映像出力を得る。
【００３８】
変換された映像信号は、色差コンバータ９でアナログの順次走査色差信号に変換され、空間フィルタ１１を経由して、順次走査映像信号出力端子１０から出力される。順次走査映像信号出力端子１０には順次走査映像信号用テレビモニターが（図示せず）が接続され、使用者はそれにより順次走査映像に変換されたビデオ素材映像を鑑賞する事ができる。
【００３９】
図４は、本発明の一実施例の映像信号再生装置の素材の垂直周波数特性を示す模式図である。ビデオ素材では素材が飛び越し走査されているので、１フィールド辺り２４０ラインであり、２フィールドで４８０ラインとなる。一方フィルム素材では、元々のフィルム上の光学情報を４８０本の順次走査信号の電気情報に変換されるので、垂直周波数特性は図４のフィルム素材の特性に示す様に高帯域のものであるが、飛び越し走査の受像器で再生を前提として、折り返し妨害が出ないようにするため、予め帯域制限を施し、図４のインタレース妨害除去後のフィルム素材の特性に示すように、ビデオ素材の特性と同じレベルにまで垂直周波数特性を落として記録されている。
【００４０】
図５は、本発明の一実施例の映像信号再生装置の映像信号再生装置の空間フィルタ１１の構成を示すブロック図である。同図において、１５は垂直フィルタであり、順次走査映像信号の垂直周波数特性を変化させる。１６は水平フィルタであり、順次走査映像信号の水平周波数特性を変化させる。図１において、順次走査映像信号変換回路７の出力は、空間フィルタ１１を経由して色差コンバータ９に出力される。空間フィルタ１１では、図５に示す回路において、垂直および水平方向の周波数特性を変化させて出力される。
【００４１】
図６は、本発明の一実施例の映像信号再生装置の垂直フィルタ１５の構成を示すブロック図である。同図において、１７は書き込み制御回路であり。入力された順次走査映像信号を第２のメモリー１２に書き込む動作をする。１８は読み出し制御回路であり、第２のメモリー１２からデータを読み出す動作をする。１９は第１のレジスタ群であり、読み出し制御回路１８によって、第２のメモリー１２から読み出されたデータを保持する。２０は第１の乗算器群であり、第１のレジスタ群１９のデータに予め設定された係数を乗じて出力する。２１は第１の加算器であり、第１の乗算器群２０の出力を加算し出力する。図６において、第１のレジスタ群１９、第１の乗算器群２０、及び第１の加算機２１は、フィルタを構成する。読み出し制御１８によって第１のレジスタ群１９に蓄えられるデータを、順次走査映像信号の垂直方向に１列に並ぶ映像データとなるようにすれば、これらによって垂直方向の周波数特性を変化できる垂直フィルタとする事ができる。さらに、制御入力によって第１の乗算器群２０の係数を変える事によって、外部から垂直フィルタの機能のオン及びオフの制御ができる。
【００４２】
図７は、本発明の一実施例の映像信号再生装置の垂直フィルタ１５の特性を示す模式図である。同図に示す様に、垂直フィルタがオフの時には垂直周波数特性は平坦な特性となり、垂直フィルタがオンされた時には垂直周波数特性の高域が持ち上がった特性になる。
【００４３】
図８は、本発明の一実施例の映像信号再生装置の水平フィルタ１６の構成を示すブロック図である。同図において、２２は第２のレジスタ群であり、入力されたデータを保持する。２３は第２の乗算器群であり、第２のレジスタ群２２のデータに予め設定された係数を乗じて出力する。２４は第２の加算器であり、第２の乗算器群２３の出力を加算し、出力する。図８において、第２のレジスタ群２２、第２の乗算器群２３、及び第２の加算器２４は、フィルタを構成する。これらによって水平方向の周波数特性を変化できる水平フィルタとする事ができる。さらに、制御入力によって第２の乗算器群２３の係数を変える事によって、外部から水平フィルタの機能のオン及びオフの制御ができる。
【００４４】
図９は、本発明の一実施例の水平フィルタ１６の特性を示す模式図である。同図に示す様に、水平フィルタ１６がオフの時には水平周波数特性は平坦な特性となり、水平フィルタ１６がオンされた時には水平周波数特性の高域が持ち上がった特性になる。
【００４５】
図１において、素材判別回路１４は、ディスク１に記録されている情報信号の映像成分の素材がフィルム素材であるか、ビデオ素材であるかの判別を行い、その結果を空間フィルタ１１に出力する。空間フィルタ１１では、素材判別回路１４がディスク１に記録されている素材がフィルムであると判別した場合には垂直フィルタをオンし、素材判別回路１４がディスク１に記録されている素材がビデオであると判別した場合には垂直フィルタをオフする。これによって、フィルム素材とビデオ素材それぞれに最適な特性で順次走査映像信号を出力する事ができる。
【００４６】
また、図１において、フィルタ特性設定手段１３によって、使用者は、空間フィルタ１１の設定、即ち垂直フィルタ１５および水平フィルタ１６のオンとオフを任意に設定する事ができる。
【００４７】
図１０は、本発明の一実施例の映像信号再生装置の垂直フィルタ１５の効果を示す模式図である。同図に示す様に、垂直フィルタ１５によって、垂直フィルタがオフの時のフィルム素材の総合特性は、高域が劣化した特性になるが、垂直フィルタオン時のフィルム素材総合特性は、垂直周波数特性の劣化が少ない特性になる。
【００４８】
図１１は、本発明の一実施例の映像信号再生装置の飛び越し走査映像と順次走査映像出力との視感上の周波数特性を示す模式図である。一般的に、順次走査映像モニタは、飛び越し走査映像モニタに比べて、水平走査周波数が２倍になるため、同一解像度を実現する電気的・光学的周波数帯域も２倍必要になる。また走査線数が倍になるため、視感的に低解像度な印象を与えるという特性を持っている。従って、飛び越し走査映像信号と、飛び越し走査映像信号を順次走査映像信号に変換した後の映像信号とでは、順次走査映像信号変換後の映像信号の方が、飛び越し走査映像信号に比べ周波数特性が劣化した印象を使用者に与える。しかし、空間フィルタ１１によって、飛び越し走査映像信号と順次走査映像信号とで視感上の差が無い様に補正できる。特に、本発明の一実施例の映像信号再生装置では、飛び越し走査映像と順次走査映像とが同時に出力され、両者を容易に比較する事ができるが、両者の視感上の差が無いので、映像信号再生装置にとって大きな欠点とはならないものである。
【００４９】
なお、上述の説明では、順次走査映像信号変換手段の入力を飛び越し走査映像信号再生手段の出力とした場合について説明したが、情報信号を飛び越し走査映像再生手段と順次走査映像信号変換手段とに並列に入力する構成でも適用できる。但し、この場合には、情報信号を復調し複号し順次走査映像信号とする走査映像信号再生機能を上記順次走査映像信号変換手段に備える必要がある。
【００５０】
また、以上の説明において、第１のメモリー及び第２のメモリーは機能説明のため独立に記したが、これらは全て半導体メモリーで実現でき、回路構成によってそれらを１つの半導体メモリーで実現する事は容易である。
【００５１】
また、フィルタ特性設定手段および、素材判別回路の両方によって、空間フィルタのオンとオフを切り替えるようにしたが、これは、必ずしもその両方によって切り替える必要はなく、フィルタ特性設定手段、もしくは素材判別回路の片方による制御としても、本発明の効果が果たせる物である。
【００５２】
また、空間フィルタの制御は単純のオンとオフの２通りとしたが。これは、フィルタ特性を多段階に切り替えられるような構成とする事もできる物である。
【００５３】
また、図１において、回路ブロック的記述を取ったが４以降の各要素については、マイクロプロセッサ等に置き換えて、ソフトウエアで実現する事も可能である。
【００５４】
更に、映像信号再生装置をディスク装置で構成した例で説明したが、その他の映像信号再生装置例えばテープ装置や、放送受信機についても同様に実施可能である。
【００５５】
【発明の効果】
以上の様に、本発明によれば、順次走査しかつ２４Ｈｚのフレーム周波数を持つ第１の映像信号、もしくは飛び越し走査しかつ３０Ｈｚのフレーム周波数を持つ第２の映像信号のいずれかからなる情報信号を再生する映像信号再生装置であって、前記情報信号を毎秒６０フィールドの飛び越し走査映像信号として出力する飛び越し走査映像信号再生手段と、前記飛び越し走査映像信号再生手段の出力を外部へ出力する飛び越し走査映像出力端子と、前記飛び越し走査映像信号再生手段の出力を順次走査映像信号に変換する順次走査変換手段と、前記順次走査変換手段の出力の高域周波数特性を強調させるフィルタ手段と、前記フィルタ手段の出力を外部へ出力する順次走査出力端子とを備え、順次走査に変換した映像信号の高域周波数特性を、情報信号が第１の映像信号の場合には、情報信号が第２の映像信号の場合に比べて強調させることにより、フィルム素材の映像信号に対して順次走査変換後に、より本来のフィルムに近い解像度を持ち、かつ、視感的にも飛び越し走査映像に比べて解像度の劣化のない順次走査映像の出力ができる映像信号再生装置が得られる。
【図面の簡単な説明】
【図１】本発明の一実施例の映像信号再生装置の構成を示すブロック図
【図２】本発明の一実施例の映像信号再生装置の飛び越し走査映像信号と順次走査映像信号の構造を示す模式図
【図３】本発明の一実施例の映像信号再生装置の映像信号の構造を示す模式図
【図４】本発明の一実施例の映像信号再生装置の素材の垂直周波数特性を示す模式図
【図５】本発明の一実施例の映像信号再生装置の空間フィルタ１１の構成を示すブロック図
【図６】本発明の一実施例の映像信号再生装置の垂直フィルタ１５の構成を示すブロック図
【図７】本発明の一実施例の映像信号再生装置の垂直フィルタ１５の特性を示す模式図
【図８】本発明の一実施例の映像信号再生装置の水平フィルタ１６の構成を示すブロック図
【図９】本発明の一実施例の映像信号再生装置の水平フィルタ１６の特性を示す模式図
【図１０】本発明の一実施例の映像信号再生装置の垂直フィルタ１５の効果を示す模式図
【図１１】本発明の一実施例の映像信号再生装置の飛び越し走査映像と順次走査映像出力との視感上の周波数特性を示す模式図
【図１２】従来例の映像信号再生装置の構成を示すブロック図
【図１３】従来例の映像信号再生装置の飛び越し走査映像信号と順次走査映像信号の構造を示す模式図
【図１４】従来例の映像信号再生装置の映像信号の構造を示す模式図
【図１５】従来例の映像信号再生装置の素材の垂直周波数特性を示す模式図
【図１６】従来例の映像信号再生装置の順次走査映像出力の垂直周波数特性を示す模式図
【図１７】従来例の映像信号再生装置の飛び越し走査映像と順次走査映像出力との視感上の周波数特性を示す模式図
【符号の説明】
１  ディスク
２  ピックアップ
３  ディスク回転装置
４  飛び越し走査映像信号再生回路
５  ＮＴＳＣエンコーダ
６  飛び越し走査映像出力端子
７  順次走査映像信号変換回路
８  第１のメモリー
９  色差コンバータ
１０  順次走査映像出力端子
１１  空間フィルタ
１２  第２のメモリー
１３  フィルタ特性設定手段
１４  素材判別回路
１５  垂直フィルタ
１６  水平フィルタ
１７  書き込み制御回路
１８  読み出し制御回路
１９  第１のレジスタ群
２０  第１の乗算器群
２１  第１の加算器
２２  第２のレジスタ群
２３  第２の乗算器群
２４  第２の加算器
【図１】
0004226127.tif 000002
【図２】
0004226127.tif 000003
【図３】
0004226127.tif 000004
【図４】
0004226127.tif 000005
【図５】
0004226127.tif 000006
【図６】
0004226127.tif 000007
【図７】
0004226127.tif 000008
【図８】
0004226127.tif 000009
【図９】
0004226127.tif 000010
【図１０】
0004226127.tif 000011
【図１１】
0004226127.tif 000012
【図１２】
0004226127.tif 000013
【図１３】
0004226127.tif 000014
【図１４】
0004226127.tif 000015
【図１５】
0004226127.tif 000016
【図１６】
0004226127.tif 000017
【図１７】
0004226127.tif 000018